(57)【特許請求の範囲】
【請求項１】
ショーケース本体の底部に冷却器からの除霜水などのドレン水を排水するドレン口を設け、前記ショーケース本体の底部下方の機械室に、前記ドレン口からのドレン水を処理するドレンパンと蒸発材とを有してなるドレン水蒸発装置を設置するショーケースのドレン水処理装置において、前記機械室に２基のドレン水蒸発装置を並設するとともに、ショーケース本体内の一つの冷却室の底面上には、前記ドレン口を各ドレン水蒸発装置に対応させて２つ設け、両ドレン口の間に位置させて仕切り用の突部を突設したことを特徴とするショーケースのドレン水処理装置。
【請求項２】
前記ドレン水蒸発装置のドレンパンは、ゴミなどの吸い上げ防止部材を兼用する補強用のリブを底部に突設する請求項１記載のショーケースのドレン水処理装置。
【発明の詳細な説明】
【０００１】
【産業上の利用分野】
本発明は、冷凍冷蔵ショーケースなどの冷却器から生じる除霜水などのドレン水を蒸発するショーケースのドレン水処理装置に関する。
【０００２】
【従来の技術】
冷凍冷蔵ショーケースでは、ショーケース本体に設置した冷却器からの除霜水などのドレン水を処理する装置として、例えば実開平５−５９１８０号公報にも示されているように、商品を収納陳列するショーケース本体の下方に形成される機械室内にドレン水を強制的に蒸発する装置を設置している。
【０００３】
このドレン水蒸発装置は、図９、図１０に示すようにショーケース本体１の底部に形成したドレン口に接続するドレンパイプ３の下方に位置させて、機械室２内に配設され、ドレン水を溜めるドレンパン４内に蒸発布５とポンプ６を配設し、このポンプ６に接続するドレンホース７を蒸発布５の上方に配設する散水管８に接続するものである。
【０００４】
他方、機械室２内には圧縮機９、凝縮器１０、送風機１１が設置されており、ドレンパイプ３からドレンパン４内に落ちたドレン水をポンプ６でドレンホース７に吸い上げ散水管８から蒸発布５に散水し、送風機１１により凝縮器１０、圧縮機９を通過した温風を蒸発布５に当て、これにより蒸発布５に含ませたドレン水を排熱を利用して強制的に蒸発する。
【０００５】
【発明が解決しようとする課題】
大型のショーケースや、ショーケース本体の前面に扉を設けずに全面開放するタイプの場合は、ドレン水の量が多くなり、前記従来例のように蒸発装置を１基設置しただけでは、蒸発能力が不足し、蒸発しきれないで溢れることがある。そこで、蒸発装置を複数設置することが考えられるが、この場合に複数の蒸発装置にドレン水を分流する手段など、確立されたものは従来存在しなかった。
【０００６】
本発明の目的は前記事情に鑑みて、大型のショーケースや、ショーケース本体の前面に扉を設けずに全面開放するタイプのショーケースで、ドレン水を蒸発装置で蒸発処理する場合に、第１にポンプやパイプによりドレン水を分流して、ドレン水の量が多くなっても充分な蒸発能力を確保でき、蒸発装置からドレン水が溢れることを防止でき、第２にポンプを利用しない場合でも、簡単な構成で同様にドレン水を分流でき、第３にドレンパン内のゴミの吸い上げも防げるショーケースのドレン水処理装置を提供することにある。
【０００７】
【課題を解決するための手段】
本発明は前記目的を達成するため、ショーケース本体の底部に冷却器からの除霜水などのドレン水を排水するドレン口を設け、前記ショーケース本体の底部下方の機械室に、前記ドレン口からのドレン水を処理するドレンパンと蒸発材とを有してなるドレン水蒸発装置を設置するショーケースのドレン水処理装置において、前記機械室に一つのみをドレン口と１対１の関係に配置して複数のドレン水蒸発装置を配設し、前記ドレン口と１対１の関係に配設されたドレン水蒸発装置にドレンパンに溜ったドレン水を他のドレン水蒸発装置に分配するポンプを配設したことを要旨とするものである。
【０００８】
また、前記機械室に一つのみをドレン口と１対１の関係に配置して複数のドレン水蒸発装置を配設し、前記ドレン口と１対１の関係に配設されたドレン水蒸発装置にドレンパンに溜ったドレン水を他のドレン水蒸発装置に分配するポンプを配設し、かつ各ドレン水蒸発装置の蒸発材の上方に位置して散水手段を配設し、各ドレン水蒸発装置にドレンパンに溜ったドレン水を当該の前記散水手段に供給するポンプを配設したことを要旨とするものである。
【０００９】
さらに、前記機械室に２基のドレン水蒸発装置を並設し、一方のドレン水蒸発装置のみをドレン口と１対１の関係に配設し、各ドレン水蒸発装置のドレンパンにポンプをそれぞれ配設し、ドレン口と１対１の関係に配設した蒸発装置のポンプに２本のドレンホースを接続し、各ドレンホースを各蒸発材の上方に配設する散水手段にそれぞれ連係し、他方のドレン水蒸発装置に配設したポンプに接続する他のドレンホースを該ドレン水蒸発装置の散水手段に連係することを要旨とするものである。
【００１０】
また、前記機械室に２基のドレン水蒸発装置を並設し、一方のドレン水蒸発装置のみをドレン口と１対１の関係に配設し、各ドレン水蒸発装置のドレンパンにポンプをそれぞれ配設し、各ポンプにそれぞれ接続するドレンホースを各蒸発材の上方に配設する散水手段の一端に接続し、該散水手段の他端を他のドレンホースで接続することを要旨とするものである。
【００１１】
さらに、前記機械室に２基のドレン水蒸発装置を並設し、一方のドレン水蒸発装置のみをドレン口と１対１の関係に配設し、各ドレン水蒸発装置のドレンパンにポンプをそれぞれ配設し、各ポンプにそれぞれ接続するドレンホースを各蒸発材の上方に立ち上げて１本の他のドレンホースに接続し、該ドレンホースの両端を各蒸発材の上方に配設する散水手段に連係することを要旨とするものである。
【００１２】
また、前記機械室に２基のドレン水蒸発装置を並設し、前記ドレン口の下方にドレン水の受け皿を設け、該受け皿に配設したポンプにドレンホースを接続し、該ドレンホースの先端を２つに分岐して、分岐した各ドレンホースを各ドレン水蒸発装置の蒸発材の上方に配設する散水手段に連係することを要旨とするものである。
【００１３】
さらに、前記機械室に２基のドレン水蒸発装置を並設し、一方のドレン水蒸発装置のみをドレン口と１対１の関係に配設し、各ドレン水蒸発装置のドレンパンを均水管としてのホースで連通することを要旨とするものである。
【００１４】
さらに、前記機械室に２基のドレン水蒸発装置を並設するとともに、前記ドレン口を各ドレン水蒸発装置に対応させて２つ設け、両ドレン口の間に位置させて仕切り用の突部をショーケース本体から突設したことを要旨とするものである。
【００１５】
また、前記ドレン水蒸発装置のドレンパンは、ゴミなどの吸い上げ防止部材を兼用する補強用のリブを底部に突設することを要旨とするものである。
【００１６】
【作用】
請求項１記載の本発明によれば、ドレン口からのドレン水は１対１の関係に配設されたドレン水蒸発装置の蒸発材上に落ちて蒸発され、蒸発材を流下する間に蒸発しきれなかったドレン水は該ドレン水蒸発装置のドレンパン内に落ちる。このドレンパンに溜ったドレン水は、ここに設置のポンプによりくみ上げられて他のドレン水蒸発装置にも送られ蒸発される。
【００１７】
請求項２記載の本発明によれば、上記に加えて、各ドレン水蒸発装置のドレンパンに溜ったドレン水は、ここに設置のポンプによりくみ上げられて当該の散水手段に送られ、蒸発材に散水され蒸発される。
【００１８】
請求項３記載の本発明によれば、ドレン口からのドレン水は１対１の関係に配設された一方のドレン水蒸発装置の蒸発材上に落ちて蒸発され、蒸発材を通過する間に蒸発しきれなかったドレン水は該ドレン水蒸発装置のドレンパン内に落ちる。このドレンパン内に溜ったドレン水は、ここに設置のポンプによりくみ上げられて２本のドレンホースに分流し、該ドレンホースを介して２基のドレン水蒸発装置の散水手段に送られ、ここから蒸発材に散水され蒸発される。
そして、他方のドレン水蒸発装置の蒸発材で蒸発しきれずにドレンパンに落ちたドレン水は、ここに設置のポンプによりくみ上げられて散水手段に送られ、蒸発材に再度散水され蒸発される。
【００１９】
請求項４記載の本発明によれば、ドレン口からのドレン水は１対１の関係に配設された一方のドレン水蒸発装置の蒸発材上に落ちて蒸発され、蒸発材を通過する間に蒸発しきれなかったドレン水は該ドレン水蒸発装置のドレンパン内に落ちる。このドレンパン内に溜ったドレン水は、ここに設置のポンプによりくみ上げられて該ドレン水蒸発装置の散水手段に送られ蒸発材に散水され蒸発されるとともに、ドレンホースを介して他方のドレン水蒸発装置の散水手段にも送られ、ここの蒸発材に散水され蒸発される。
そして、他方の蒸発材で蒸発しきれずにドレンパン内に落ちたドレン水は、ここに設置の他のポンプにより再びくみ上げられて散水手段に送られ、蒸発材に散水され蒸発される。
この場合、各ポンプからくみ上げられるドレン水は、両散水手段を接続するドレンホースの個所で対向流となり、ドレン水が充分にあるときは他方の散水手段の方向には流れないが、一方のドレンパン内にドレン水が無くなると、ドレンホースおよび散水手段を介して他方のドレン水蒸発装置に送られる。
【００２０】
請求項５記載の本発明によれば、ドレン口からのドレン水は１対１の関係に配設された一方のドレン水蒸発装置の蒸発材上に落ちて蒸発され、蒸発材を通過する間に蒸発しきれなかったドレン水は該ドレン水蒸発装置のドレンパン内に落ちる。このドレンパン内に溜ったドレン水は、ここに設置のポンプによりくみ上げられて該ドレン水蒸発装置の散水手段に送られ蒸発材に散水され蒸発されるとともに、ドレンホースを介して他方のドレン水蒸発装置の散水手段にも送られ、ここの蒸発材に散水され蒸発される。
そして、他方の蒸発材で蒸発しきれずにドレンパン内に落ちたドレン水は、ここに設置の他のポンプにより再びくみ上げられ散水手段に送られ、蒸発材に散水され蒸発される。この場合、各ポンプからくみ上げられるドレン水は、各ドレンホースを接続する他のドレンホースの個所で対向流となり、ドレン水が充分にあるときは他方のドレンホースの方向には流れないが、一方のドレンパン内にドレン水が無くなると、ドレンホースを介して他方のドレン水蒸発装置に送られる。
【００２１】
請求項６記載の本発明によれば、ドレン口から受け皿に落ちたドレン水は、ここに設置のポンプによりくみ上げられて先端が２つに分岐するドレンホースに分流し、各ドレン水蒸発装置の散水手段に送られ蒸発材に散水され、各ドレン水蒸発装置において蒸発される。
【００２２】
請求項７記載の本発明によれば、ドレン口からのドレン水は１対１の関係に配設された一方のドレン水蒸発装置の蒸発材上に落ちて蒸発され、蒸発材を通過する間に蒸発しきれなかったドレン水は該ドレン水蒸発装置のドレンパン内に落ちる。このドレンパン内に溜ったドレン水は、均水管としてのホースを通って他方のドレン水蒸発装置のドレンパン内に流入し、ここの蒸発材でもって蒸発される。
【００２３】
請求項８記載の本発明によれば、ショーケース本体の底部に形成するドレン口を２つ形成することで、ドレン水はドレン口に流入する前の段階で分流され、対応の各ドレン水蒸発装置に供給され蒸発される。この場合、両ドレン口の間に突起を仕切りとして設けたから、一方のドレン口の方向にのみドレン水が流れることを防げる。
【００２４】
請求項９記載の本発明によれば、前記作用に加えてドレンパンの底部に形成したリブにより、ゴミなどが吸い上げられることを防止でき、吸い上げ能力の低下を防げる。
【００２５】
【実施例】
実施例１．
以下、図面について本発明の実施例を詳細に説明する。図１は本発明のショーケースのドレン水処理装置の第１実施例を示す説明図で、本発明のドレン水処理装置が実施されるショーケースは図１０について既に説明したように、底部にドレン口１３を設けたショーケース本体１の下方に機械室２を設け、ここに圧縮機９、凝縮器１０、送風機１１などを設置するもので、ショーケースとしては大型のものや、前面の全部を商品取り出し用の開口に扉を設けないタイプのものが考えられる。
【００２６】
本発明のドレン水蒸発装置１４も、かかる機械室２内に設置するもので、図８にも示すようにドレン水を溜めるドレンパン４内に、蒸発材としての多数枚の蒸発板１２を縦方向に並設し、該蒸発板１２の上方に位置して散水手段としての散水管８を配設するとともに、蒸発板１２の側方にポンプ６やタイマ（図示は省略する）を内蔵するユニットを配設する。
【００２７】
前記蒸発板１２（蒸発材）は吸水性のある材料のものが用いられ、この実施例のように蒸発板１２を縦方向に並設するものにあっては、図示の如く、蒸発板１２全体の上端にこれを覆うように同様の蒸発板１２を水平に設けるのが好ましい。これにより、ドレン水を全体的に拡散できる。
【００２８】
かかるドレン水蒸発装置１４を２基並設し、一方のドレン水蒸発装置１４のみをドレン口１３と１対１の関係に配設し、各ドレン水蒸発装置１４のドレンパン４にポンプ６をそれぞれ配設する。
なお、１対１の関係とは、他の実施例でも同様であるが、ドレン口１３の直下に配置され、またはドレン口１３の下方近傍に配置されるなどして、ドレン口１３からのドレン水がドレン口にドレンパイプを接続するような場合を含め直に供給されることを意味する。
なお、ドレン水蒸発装置１４は機械室２のスペース等の関係で２基とするのが好ましいが、２基では必要処理能力が確保できないようなことが想定される場合には、３基とすることも可能である。
【００２９】
そして、ドレン口１３の下方に設置した蒸発装置１４のポンプ６に２本のドレンホース７を接続し、各ドレンホース７を立ち上げて、各ドレン水蒸発装置１４の各蒸発板１２の上方に配設する散水管８にそれぞれ接続する。
【００３０】
また、他方のドレン水蒸発装置１４に配設したポンプ６に他のドレンホース７の一端を接続し、他端を蒸発装置１４の散水管８に接続する。
【００３１】
なお、この実施例ではドレン水蒸発装置１４の蒸発材として蒸発板１２を用いたものを示したが、蒸発材としては蒸発布を上下に蛇行状に配設するようにしたものなど、これ以外のものとしてもよい。
また、散水手段として散水管８を用いたものを示したが、例えば、底に多数の孔を形成してなる散水皿を用いるもの、供給管と底に多数の孔を形成してなる散水皿との組合せによるものなど、これ以外のものとしてもよい。
このことは以下に述べる他の実施例でも同様である。
【００３２】
次に作用について説明する。ドレン口１３からのドレン水は、一方のドレン水蒸発装置１４の水平の蒸発板１２上に落ち全体的に拡散され、この下の縦方向に並設した蒸発板１２で吸水されながら流下する。この間、送風機１１により凝縮器１０、圧縮機９を通過した温風を蒸発板１２に当て、これにより蒸発板１２に含ませたドレン水を排熱を利用して強制的に蒸発する。
【００３３】
蒸発板１２を流下する間に蒸発しきれなかったドレン水は、ドレンパン４内に溜り、ここに設置のポンプ６によりくみ上げられて２本のドレンホース７に分流し、該ドレンホース７を介して２基のドレン水蒸発装置１４の散水管８に送られ、ここから上記同様にそれぞれの蒸発板１２に散水され、送風機１１により凝縮器１０、圧縮機９を通過した排熱である温風を蒸発板１２に当て強制的に蒸発する。
なお、ドレンパン４内に溜ったドレン水は、上記による他、蒸発材１２自体によっても吸い上げられ同様にして蒸発される。
【００３４】
これら２基のポンプ６は、一定時間毎、例えば５分毎に３０秒間、同時駆動するようにするなど定期的に駆動すればよいが、一方または両方のドレンパン４内に水位検知手段を設け、ドレンパン４内の水位が所定値以上になったときに、ポンプ６を駆動をするようにしてもよく、これによればポンプ６のカラ運転をなくすことも可能となる。
【００３５】
他方の蒸発装置１４の蒸発板１２で蒸発しきれずにドレンパン４内に落ちて溜ったドレン水は、ここに設置のポンプ６によりくみ上げられて散水管８に送られ蒸発板１２に再度散水され、同様にして蒸発される。
【００３６】
実施例２．
図２は第２実施例を示し、２基の蒸発装置１４のうちの一方をドレン口１３と１対１の関係に配設し、各ドレン水蒸発装置１４のドレンパン４にポンプ６をそれぞれ配設する構成は第１実施例と同様であるが、この第２実施例では各ポンプ６にそれぞれ接続するドレンホース７を各蒸発板１２の上方に配設する散水管８の一端に接続し、該散水管８の他端を他のドレンホース７で接続するようにした。
【００３７】
これにより、ドレン口１３からのドレン水は、最初は第１実施例と同様にしてドレン口と１対１の関係に配設したドレン水蒸発装置で蒸発され、ここの蒸発板１２を流下する間に蒸発しきれなかったドレン水は、ここに設置のポンプ６によりくみ上げられてドレンホース７を介して該ドレン水蒸発装置１４の散水管８に送られ蒸発板１２に散水されるとともに、前記散水管８に接続するドレンホース７を介して他方のドレン水蒸発装置１４の散水管８にも分流して送られ、他の蒸発板１２に散水される。各蒸発板１２に第１実施例同様に排熱である温風を当て、ドレン水を強制的に蒸発する。
【００３８】
そして、他方の蒸発板１２で蒸発しきれずにドレンパン４内に落ちたドレン水は、ここに設置の他のポンプ６により再びくみ上げられ散水管８に送られ散水される。この場合、両方のドレンパン４内にドレン水が溜まっていると、各ポンプ６からくみ上げられるドレン水は、両散水管８を接続するドレンホース７の個所でぶつかり合い、対向流となり、互いに他方の散水管８の方向には流れない。
【００３９】
しかし、一方のドレンパン４内にドレン水が無くなると、他方の散水管８、これに接続するドレンホース７を介して一方の散水管８にドレン水が補給され、両ドレン水蒸発装置１４の水量がラフではあるが、ほぼ均等に保持される。
なお、ポンプ６の駆動は第１実施例と同様に行われる。
【００４０】
実施例３．
図３は第３実施例を示し、２基の蒸発装置１４のうちの一方をドレン口１３と１対１の関係に配設し、各ドレン水蒸発装置１４のドレンパン４にポンプ６をそれぞれ配設する構成は第１、第２実施例と同様であるが、この第３実施例では各ポンプ６にそれぞれ接続するドレンホース７を各ドレン水蒸発装置１４の上方に立ち上げて、ここで１本の他のドレンホース７に接続し、その後、該ドレンホース７の両端を各蒸発板１２の上方に配設する散水管８に接続するようにした。
【００４１】
これにより、ドレン口１３からのドレン水は、最初は第１実施例と同様にしてドレン口と１対１の関係に配設したドレン水蒸発装置で蒸発され、ここの蒸発板１２を流下する間に蒸発しきれなかったドレン水は、ここに設置のポンプ６によりドレンホース７にくみ上げられ、さらに別のドレンホース７を通って各ドレン水蒸発装置１４の散水管８にそれぞれ分流して供給され、各蒸発板１２に散水される。各蒸発板１２に第１実施例同様に排熱である温風を当て、ドレン水を強制的に蒸発する。
【００４２】
そして、他方の蒸発板１２で蒸発しきれずにドレンパン４に落ちたドレン水は、ここに設置の他のポンプ６により再びくみ上げられドレンホース７を介して散水管８に送られる。この場合、両方のドレンパン４内にドレン水が溜まっていると、各ポンプ６からくみ上げられるドレン水は、各ドレンホース７が合流して接続する別のドレンホース７の個所でぶつかり合い、対向流となり、互いに他方の散水管８の方向には流れない。
【００４３】
しかし、一方のドレンパン４内にドレン水が無くなると、他方のドレンホース７、これに接続する他のドレンホース７を介して一方の散水管８にドレン水が補給され、両ドレン水蒸発装置１４の水量がラフではあるが、ほぼ均等に保持される。
なお、ポンプ６の駆動は第１実施例と同様に行われる。
【００４４】
実施例４．
図４は第４実施例を示し、これは１基のポンプを使用するもので、ドレン口１３の直下にドレン水の受け皿１５を設け、該受け皿１５に配設した１基のポンプ６にドレンホース７を接続し、該ドレンホース７の先端を２つに分岐して、分岐した各ドレンホース７を各ドレン水蒸発装置１４の蒸発板１２の上方に配設する散水管８に接続する。
【００４５】
さらに、各ドレンパン４の底部に排水管１６を設け、この先端を前記受け皿１５に開口する。
【００４６】
このようにして、ドレン口１３から落ちるドレン水を受け皿１５に一旦溜め、このドレン水をここに設置のポンプ６でくみ上げて先端が２つに分岐しているドレンホース７に送り込み、該ドレンホース７で分流して各ドレン水蒸発装置１４の上方の散水管８に送り、各蒸発板１２に散水することにより、第１実施例と同様にして強制的に蒸発する。
【００４７】
そして、蒸発板１２を流下する間に蒸発しきれずにドレンパン４に落ちたドレン水は、排水管１６から再び受け皿１５内に流入し、ドレンホース７に再びくみ上げられ、前述同様に各散水管８を介して蒸発板に散水され、強制的に蒸発される。
なお、ポンプ６は一定時間毎、例えば５分毎に１分間、駆動するようにするなど定期的に駆動すればよいが、受け皿１５内に水位検知手段を設け、受け皿１５内の水位が所定値以上になったときに、ポンプ６を駆動をするようにしてもよく、これによればポンプ６のカラ運転をなくすことも可能となる。
【００４８】
実施例５．
図５は第５実施例を示し、２基の蒸発装置１４のうちの一方をドレン口１３と１対１の関係に配設し、各ドレン水蒸発装置１４のドレンパン４にポンプ６をそれぞれ配設する構成は第１、第２、第３実施例と同様であるが、この第５実施例では分流のための手段としてポンプを使用せず、両ドレン水蒸発装置１４のドレンパン４を均水管１７としてのホースで連通するようにした。
【００４９】
これにより、ドレン口１３からのドレン水は、最初は第１実施例と同様にしてドレン口と１対１の関係に配設したドレン水蒸発装置で蒸発され、ここの蒸発板１２を流下する間に蒸発しきれなかったドレン水は、ドレンパン４内に落ち、均水管１７であるホースを通って他方のドレンパン４にも流入し、両ドレンパン４内の水量がほぼ均等に保たれる。各ドレンパン４内に溜ったドレン水は、ここに設置のポンプ６によりくみ上げられて、前述同様に当該の散水管８を介して蒸発板１２に散水され、強制的に蒸発される。
なお、この場合のポンプの駆動も、第１実施例と同様に行われる。
【００５０】
実施例６．
図６は第６実施例を示し、これも前記第５実施例と同様、分流のための手段としてポンプを使用しないもので、ドレン口１３ａ，１３ｂを各ドレン水蒸発装置１４の上方に位置させてショーケース本体１の底部に２つ開口し、両ドレン口１３ａ，１３ｂの間に位置させて仕切り用の突部２０をショーケース本体１から上方に向けて突設した。この突部２０はショーケース本体１に一体形成してもよく、接着剤などにより固着して設けたものとしてもよい。なお、図中２１は冷却器を示す。
【００５１】
これにより、冷却器２１から生じる除霜水などのドレン水は、ドレン口に落ちる前にショーケース本体１内の仕切り用の突部２０により２つに分流され、分流したドレン水はそれぞれドレン口１３ａ，１３ｂから各ドレン水蒸発装置１４に供給され、ここで前記同様にして強制的に蒸発される。
【００５２】
なお、本実施例において、２基のドレン水蒸発装置１４の能力に差がある場合は、突部２０を設ける位置を適宜変更することで、各ドレン水蒸発装置１４へのドレン水の供給量を調整できる。
【００５３】
また、この実施例においても、ドレンパン４内に溜ったドレン水を処理するため、前記の実施例のようにポンプ６を用いてくみ上げ、散水管８を介して蒸発材１２に散水して強制的に蒸発するようにすることを併用するのが好ましい。
【００５４】
以上の第１実施例乃至第６実施例において、ドレンパン４は図７に示すように、ゴミなどの吸い上げ防止部材を兼用する補強用のリブ２２を底部に突設するのが好ましい。これにより、ポンプ６にゴミなどがドレン水といっしょに吸い上げられることを防止でき、吸い上げ能力の低下を防げる。
【００５５】
【発明の効果】
以上述べた請求項１記載の本発明によれば、複数配設するドレン水蒸発装置のうちの１つのみをドレン口と１対１の関係に配設し、該１対１の関係に配設したドレン水蒸発装置のドレンパンに溜ったドレン水を、ポンプにより他のドレン水蒸発装置に分配するようにしているので、ドレン口は複数設けることなく従来同様１個ですみ、従って既設置のショーケースにも据え付け可能である。しかも、ドレン水が溢れてショーケース設置面を濡らさないだけの蒸発能力を容易に確保できる。
【００５６】
また、請求項２記載の本発明によれば、上記に加え、各ドレン水処理装置のドレンパンに溜ったドレン水を、ポンプにより強制的にくみ上げて蒸発材に散水し蒸発するようにしているので、ドレン水の要処理時間を短縮できる。
【００５７】
さらに、請求項３記載の本発明によれば、上記に加え、ドレン口と１対１の関係に配設するドレン水処理装置の散水手段へのドレン水の供給ポンプに、他方のドレン水処理装置の散水手段を連係させ、他方のドレン水蒸発装置に散水手段を介しドレン水を供給するようにしたので、蒸発効率を向上できドレン水の要処理時間を短縮できるとともに、ドレン口と１対１の関係のドレン水処理装置における分配のためのポンプと散水手段への供給のためのポンプを共通のものとすることができる。
【００５８】
また、請求項４、請求項５記載の本発明によれば、上記に加え、２基のポンプによる対向流を利用することで、各ドレン水蒸発装置にほぼ均等にドレン水を分配して分流できるので、ドレン水を両ドレン水蒸発装置において平均的に処理可能となる。
【００５９】
さらに、請求項６記載の本発明によれば、水受け皿でドレン水を一旦受け、ドレン水をポンプで両ドレン水蒸発装置に分配するようにしたので、ドレン水が溢れてショーケース設置面を濡らさないだけの蒸発能力を容易に確保できるとともに、ドレン水を１基のポンプで両ドレン水蒸発装置にほぼ均等に分配できる。
【００６０】
また、請求項７記載の発明によれば、両ドレンパンをホースで接続するだけの簡単な構造で、ドレン水が溢れてショーケース設置面を濡らさないだけの蒸発能力を容易に確保できるとともに、ポンプを利用せずにドレン水を両ドレン水蒸発装置にほぼ均等に分配できる。
【００６１】
また、請求項８記載の発明によれば、ドレン口を２つ設け、かつ両ドレン口の間に位置させて仕切り用の突部を設けるという簡単な構造で、ドレン水が溢れてショーケース設置面を濡らさないだけの蒸発能力を容易に確保できるとともに、ポンプを利用せずにドレン水を両ドレン水蒸発装置に分配できる。
【００６２】
さらに、請求項９記載の発明によれば、ドレンパンの底部にリブを突出したので、ポンプへのゴミの吸い上げを防止でき、かつポンプ能力の低下を防ぐことができる。
【図面の簡単な説明】
【図１】  本発明のショーケースのドレン水処理装置の第１実施例を示す説明図である。
【図２】  本発明のショーケースのドレン水処理装置の第２実施例を示す説明図である。
【図３】  本発明のショーケースのドレン水処理装置の第３実施例を示す説明図である。
【図４】  本発明のショーケースのドレン水処理装置の第４実施例を示す説明図である。
【図５】  本発明のショーケースのドレン水処理装置の第５実施例を示す説明図である。
【図６】  本発明のショーケースのドレン水処理装置の第７実施例を示す説明図である。
【図７】  本発明のショーケースのドレン水処理装置のドレンパンの縦断正面図である。
【図８】  本発明のショーケースのドレン水処理装置のドレン水蒸発装置の斜視図である。
【図９】  従来のショーケースのドレン水処理装置のドレン水蒸発装置の斜視図である。
【図１０】  従来のショーケースのドレン水処理装置の説明図である。
【符号の説明】
１…ショーケース本体
２…機械室
３…ドレンパイプ
４…ドレンパン
５…蒸発布
６…ポンプ
７…ドレンホース
８…散水管
９…圧縮機
１０…凝縮器
１１…送風機
１２…蒸発板
１３，１３ａ，１３ｂ…ドレン口
１４…ドレン水蒸発装置
１５…受け皿
１６…排水管
１７…均水管
２０…突部
２１…冷却器
２２…リブ
【図１】
0003657631.tif 000002
【図２】
0003657631.tif 000003
【図３】
0003657631.tif 000004
【図４】
0003657631.tif 000005
【図５】
0003657631.tif 000006
【図６】
0003657631.tif 000007
【図７】
0003657631.tif 000008
【図８】
0003657631.tif 000009
【図９】
0003657631.tif 000010
【図１０】
0003657631.tif 000011